(57)【特許請求の範囲】
【請求項１】
着用者の頭部を覆うとともに、顔部を出すための開口部が形成された布製のフードであって、
着用者の後頭部を覆う後頭部用布の側縁と、着用者の額部を覆うための額部用布の側縁とを縫い付けるとともに、その縫い付け部分で一部を縫い付けないことにより挿通部を形成し、当該挿通部から眼鏡のつるを挿入させて前記着用者の耳に掛けられるようにしたことを特徴とするフード。
【請求項２】
前記額部用布の側縁に前記後頭部用布の側縁を所定の幅だけ重ね合わせた状態で縫い付けることを特徴とする請求項１に記載のフード。
【請求項３】
マスク掛け部を設け、当該マスク掛け部のマスク掛け位置を前後方向に位置調整可能にしたこと特徴とする請求項１に記載のフード。
【請求項４】
アジャスタを設け、当該アジャスタにより布を引っ張って前記開口部縁を顔部に密着させられるようにしたことを特徴とする請求項１に記載のフード。
【請求項５】
前記開口部縁の少なくとも一部に沿って、伸縮性を有する帯状布を設けたことを特徴とする請求項１に記載のフード。
【請求項６】
前記着用者の首周りで左右の布を重ね合わせて留める構成とした首周り調整部を設け、前記左右の布のうち、重ね合わせたときに内側に位置する方の長さを、外側に位置する方の長さよりも短くしたことを特徴とする請求項１に記載のフード。
【請求項７】
前記着用者の頭部上方を覆うキャップ部分と前記着用者の首周りを覆うケープ部分との間に、伸縮性を有する中間布を介在させたことを特徴とする請求項１に記載のフード。
【発明の詳細な説明】
【０００１】
【発明の属する技術分野】
本発明は、食品、化学薬品、半導体部品等を取り扱う作業者が着用するためのフードに関する。
【０００２】
【従来の技術】
食品や半導体部品等を取り扱う作業者は、毛髪やフケ等の落下を避けるため頭部を覆う布製のフードを着用する。このフードは、着用者の額から後頭部さらには首や肩を覆うものであり、顔部（目や鼻や口を含む部分）を出すための開口部が形成されている。
【０００３】
【発明が解決しようとする課題】
上記フードにおいては、様々な原因により、開口部縁において着用者の顔部との間に隙間が生じることがある。このように隙間が生じたのでは、その隙間から毛髪やフケ等が落下してしまうおそれがある。
【０００４】
本発明は、上記のような点に鑑みてなされたものであり、顔部との間に隙間を生じさせないようにするフードを提供することを目的とする。
【０００５】
【課題を解決するための手段】
本発明のフードは、着用者の頭部を覆うとともに、顔部を出すための開口部が形成された布製のフードであって、着用者の後頭部を覆う後頭部用布の側縁と、着用者の額部を覆うための額部用布の側縁とを縫い付けるとともに、その縫い付け部分で一部を縫い付けないことにより挿通部を形成し、当該挿通部から眼鏡のつるを挿入させて前記着用者の耳に掛けられるようにした点に特徴を有する。
【０００６】
また、本発明のフードの他の特徴とするところは、前記額部用布の側縁に前記後頭部用布の側縁を所定の幅だけ重ね合わせた状態で縫い付けることを特徴とする請求項１に記載のフード。
【０００７】
また、本発明のフードの他の特徴とするところは、マスク掛け部を設け、当該マスク掛け部のマスク掛け位置を前後方向に位置調整可能にした点にある。
【０００８】
また、本発明のフードの他の特徴とするところは、アジャスタを設け、当該アジャスタにより布を引っ張って前記開口部縁を顔部に密着させられるようにした点にある。
【０００９】
また、本発明のフードの他の特徴とするところは、前記開口部縁の少なくとも一部に沿って、伸縮性を有する帯状布を設けた点にある。
【００１０】
また、本発明のフードの他の特徴とするところは、前記着用者の首周りで左右の布を重ね合わせて留める構成とした首周り調整部を設け、前記左右の布のうち、重ね合わせたときに内側に位置する方の長さを、外側に位置する方の長さよりも短くした点にある。
【００１１】
また、本発明のフードの他の特徴とするところは、前記着用者の頭部上方を覆うキャップ部分と前記着用者の首周りを覆うケープ部分との間に、伸縮性を有する中間布を介在させた点にある。
【００１２】
【発明の実施の形態】
以下、図面を参照して、本発明のフードの一実施の形態について説明する。図１は、本実施の形態のフードを示す図である。同図において、１は着用者の頭頂部を覆うための頭頂部用布であり、ほぼ円形に裁断されている。
【００１３】
２は着用者の後頭部上方を覆うための後頭部用布であり、図２に示すような２枚の左右対称形状をした布を縫い付けたものである。この縫い付け部分２ｃは、図３（ａ）に示すように、後頭部のほぼ中央に位置することになる。後頭部用布２の上縁２ａは、上記頭頂部用布１に沿って縫い付けられる。なお、図３（ｂ）に示すように、頭頂部用布１と後頭部用布２との縫い付け部分内側において、テープ状布１０１を用いたパイピング始末が施されている。
【００１４】
３は着用者の額部を覆うための額部用布である。額部用布３の上縁３ａは、上記後頭部用布２と同様に、頭頂部用布１に沿って縫い付けられる。なお、頭頂部用布１と額部用布３との縫い付け部分内側においても、テープ状布１０１を用いたパイピング始末が施されている。
【００１５】
上記のように後頭部用布２、額部用布３の上縁２ａ、３ａが頭頂部用布１に縫い付けられると、着用者のこめかみあたりの位置で後頭部用布２の側縁２ｂと額部用布３の側縁３ｂとが重なり合う。そして、その重なり合い部分を縫い付けるのであるが、その縫い付けの前に、各側縁２ｂ、３ｂを内側に折り曲げて縫合しておく。この場合に、一度だけ折り曲げるのではなく、図４に示すように、いわゆる三つ巻（側縁を二度折り曲げる）にして糸２０１、３０１によりそれぞれ縫合している。
【００１６】
このように三つ巻にすることにより、糸くずが発生するのを効果的に防止することができる。すなわち、糸くずの大部分は、布の裁断端部のほつれによるものであることから、布の端部を内側に折り曲げて縫合することが通常なされている。しかし、単に布の端部を内側に折り曲げるだけでは、布の端部が内側に位置するだけであり、糸くずの発生を効果的に防止することができない。それに対して、本実施の形態のように、さらにもう１回折り曲げて三つ巻にすることにより、図４に示すように布の端部を完全に包んで、糸くずが発生するのを効果的に防止するとともに、糸くずが発生してもパイピング始末外に出ないようにすることができる。
【００１７】
上記のように三つ巻にして縫合したならば、額部用布３の側縁３ｂに後頭部用布２の側縁２ｂを所定の幅だけ重ね合わせた状態で縫い付ける。図４は、フードの右側（図１における紙面裏側）での両布２、３の縫い付け状態を示す頭頂部用布１側から見た断面の模式図である。この図にも示すように、側縁２ｂ、３ｂに沿って全ての部分を縫い付けるのではなく、上方のみ糸４０１により縫い付けて（図１、４（ａ）参照）、下方は縫い付けない（図１、４（ｂ）参照）。したがって、図５に示すように、縫い付けを行わなかった部分には挿通部４が形成されることになる。なお、この挿通部４についての説明は後述する。
【００１８】
図１に説明を戻すと、額部用布３の下縁３ｃ及び後頭部用布２の側縁２ｂの下方は、着用者の額に沿ったカーブ形状となるように裁断されている。そして、そのカーブ形状に沿って、パイル生地からなる帯状布５が縫い付けられている。この帯状布５は、汗取り布としての役目を果たすものである。しかも、伸縮性を持つように編み込まれており、これにより額部にフィットさせて、毛髪やフケ等の落下を効果的に防止することができる。なお、帯状布５には適宜ダーツ５ａを形成して、カーブ形状に合わせるようにしている。
【００１９】
６は着用者の後頭部下方や耳を覆うための中間布であり、図６に示すような２枚の対称形状をした布を縫い付けたものである。この縫い付け部分６ｃは、図３（ａ）に示すように、後頭部のほぼ中央に位置することになる。中間布６の上縁６ａは、後頭部用布２の下縁２ｄ及び帯状布５の端部に縫い付けられている。なお、図３（ｂ）に示すように、後頭部用布２及び帯状布５と中間布６との縫い付け部分内側において、テープ状布１０２を用いたパイピング始末が施されている。この中間布６の上縁６ａの縫い付け部分は、着用者のちょうど耳上端あたりに位置するようにしている（図５参照）。より具体的には、着用者の耳の穴（外耳道）よりも上から耳輪の最上部の間、好ましくは耳輪の頭部への付け根と略同じ高さに位置するようにしている。
【００２０】
上記のようにして中間布６を縫い付けると、当該中間布６の両側縁６ｂが帯状布５にほぼ連続して、着用者の顔部（目や鼻や口を含む部分）を出すための開口部Ａが形成される。なお、開口部Ａを構成する中間布６の側縁６ｂには、伸縮性を有するニットテープ７によりパイピング始末が施されている。
【００２１】
ここで、上記頭頂部用布１、後頭部用布２、額部用布３としては、ポリエステル等の化学繊維や化学繊維と綿の混紡等が用いられるのに対して、中間布６としては、伸縮性を有するようネット状に編み込まれたニット素材の布が用いられている。化学繊維等では、肌触りがゴワゴワしやすく、それによる装着時の作業に伴う耳や髪等との擦れるガサガサ音が気になることがある。それに対して、ニット素材の布では、柔らかな肌触りを得ることができるとともに、ガサガサ音が発生しにくくなる。また、上述のように、中間布６の上縁６ａの縫い付け部分を着用者のちょうど耳上端あたりに位置させるようにしていることから、この中間布６が着用者の耳を覆うことになり、通音性を高めることもできる。
【００２２】
８は着用者の首周りから肩にかけての部分を覆うためのケープ布である。ケープ布８は、スカート状に広がる形状をしており、その上縁は、中間布６の下縁６ｄに縫い付けられている。なお、図３（ｂ）に示すように、中間布６とケープ布８との縫い付け部分内側において、テープ状布１０３を用いたパイピング始末が施されている。また、ケープ布８の側縁８ａ、８ｂから下縁全体８ｄには、テープ９によりパイピング始末が施されている。このケープ布８としては、上記頭頂部用布１、後頭部用布２、額部用布３と同じく、ポリエステル等の化学繊維や化学繊維と綿の混紡等が用いられている。
【００２３】
また、ケープ布８の左右両側縁には、図７にも示すように、中間布６の側縁に連続する第１の縁８ａｒ、８ａｌと、第１の縁８ａｒ、８ａｌからカーブさせた第２の縁８ｂｒ、８ｂｌとを形成するよう裁断されている。なお、これら第１の縁８ａｒ、８ａｌや第２の縁８ｂｒ、８ｂｌ部分は、首や顎下に触れることがあるため、できるだけ丸みを帯びるように裁断している。
【００２４】
上記のように第１の縁８ａｒ、８ａｌからカーブさせて第２の縁８ｂｒ、８ｂｌを形成することにより、ケープ布８には突き出し部１０ｏ、１０ｉが形成される。この突き出し部１０ｏ、１０ｉは、着用者の顎下部分で、左側の突き出し部１０ｉに右側の突き出し部１０ｏを重ね合わせて留めることにより、フードを首周りで密着、固定するためのものである。なお、本実施の形態においては、これら突き出し部１０ｏ、１０ｉが本発明でいう左右の布に相当するものである。
【００２５】
ここで、左側の突き出し部１０ｉの（突き出し）長さＬｉが、右側の突き出し部１０ｏの（突き出し）長さＬｏよりも短くなるようにしている。これは、突き出し部１０ｏ、１０ｉを重ね合わせたときに内側に位置する方、すなわち、左側の突き出し部１０ｉの長さＬｉが長いと、余分な部分が行き場を無くして波打ったり、しわになったりしてしまい、顔部と開放部Ａ縁との間に隙間が生じやすくなることがあるためである。それに対して、本実施の形態のように、左側の突き出し部１０ｉの重ね合わせ長さＬｉを短くすることにより、波打ったり、しわになったりしにくく、フィット性を高めて顔と開放部Ａ縁との間に隙間が生じるのを防ぐことができる。一方で、外側に位置する方、すなわち、右側の突き出し部１０ｏの重ね合わせ長さＬｏについては、首の周りを確実に覆うことができるよう十分な長さを確保している。
【００２６】
なお、突き出し部１０ｏ、１０ｉを留めるために、右側の突き出し部１０ｏ内面には、繊維性接合部材１１ａ（例えば、商標名マジックテープ）が縫い付けられている。また、左側の突き出し部１０ｉ外面には、繊維性接合部材１１ａに対応するテープ状の繊維性接合部材１１ｂが縫い付けられている。テープ状の繊維性接合部材１１ｂは斜めに配置されており、突き出し部１０ｏ、１０ｉを重ね合わせたときに、開放部Ａ縁がちょうど着用者の顎下のラインに密着するようになっている。すなわち、重ね合わせ代が多いとき（着用者の顔が小さい場合）は、ケープの開放部Ａ縁が上方に移動することになり、逆に重ね合わせ代が少ないとき（着用者の顔が大きい場合）は下方に移動することになる。これにより、着用者の顔の大きさに合わせて、ケープの開放部Ａ縁を密着させやすくすることができる。
【００２７】
以上述べた頭頂部用布１、後頭部用布２、額部用布３、中間布６、ケープ布８により、本実施の形態のフードが構成される。
【００２８】
本実施の形態では、後頭部用布２と中間布６との縫い付け部分に沿って、フードの両側部にマスク掛け部５０１を設けている。マスク掛け部５０１は、図８にも示すように、上記縫い付け部分に沿って配置された帯状布１２と、プラスチック或いは適宜な硬度を有する布からなるやや厚手の円板部材１３により構成されている。そして、帯状布１２を円板部材１３に形成した一対のスリット１３ａに挿通させた状態で、この帯状布１２の両端を後頭部用布２に縫い付けている。
【００２９】
このようにしたマスク掛け部５０１があれば、着用者は、図８中一点鎖線で示すようにマスクの紐を円板部材１３に引っ掛けることができる。すなわち、マスクの紐を開口部Ａから内部に挿入して耳に掛ける必要がなくなり、開口部Ａと顔部との間に隙間が生じるのを防いで、毛髪やフケ等の落下を効果的に防止することができる。しかも、円板部材１３を帯状布１２の長手方向（図８中矢印Ｊで示す方向）に移動させることができるので、マスクの紐掛け位置を前後方向に位置調整することができ、マスクをフィットさせることができる。また、やや厚手の部材で構成しているので、着用者は手袋を装着した状態でも調整しやすいといった効果も奏する。
【００３０】
また、本実施の形態では、後頭部用布２と中間布６との縫い付け部分に沿って、フードの後頭部にアジャスタ５０２を設けている。図３（ａ）にも示すように、帯状布１４をフード左側のマスク掛け部５０１の帯状布１２に直列的に並べるとともに、当該帯状布１４のマスク掛け部５０１側端部を後頭部用布２に縫い付けている。この帯状布１４の先端裏面には、繊維性接合部材１５ａ（例えば、商標名マジックテープ）が縫い付けられている。一方、繊維性接合部材１５ａに対応するテープ状の繊維性接合部材１５ｂを、フード右側のマスク掛け部５０１の帯状布１２に直列的に並べて後頭部用布２に縫い付けている。
【００３１】
このようにしたアジャスタ５０２があれば、帯状布１４を引っ張って、繊維性接合部材１５ａを繊維性接合部材１５ｂの任意の位置に接合させることにより、フードの頭周りを着用者の頭部にフィットさせ、開口部Ａ縁を顔部に密着させることができる。したがって、開口部Ａ縁と顔部との間に隙間が生じるのを防いで、毛髪やフケ等の落下を効果的に防止することができる。さらに、上述のように、後頭部用布２と中間布６との縫い付け部分に沿ってアジャスタ５０２を設けると、フード着用時にアジャスタは頭蓋骨の後頭骨の凸部より若干下方に位置するようになることが多いので、帯状布１４を引っ張って締め付けることにより、フード全体を後頭部斜め下方に引っ張ることとなり、開放部Ａ縁の頬から額にかけた部分をより密着させる効果を奏することとなる。
【００３２】
しかも、アジャスタ５０２の帯状布１４を引っ張ることにより、隣り合うマスク掛け部の帯状布１２も引っ張られて、この帯状布１２が張った状態となる。このようにマスク掛け部の帯状布１２が張った状態では、円板部材１３が動きにくくなるので、マスク着用中に円板部材１３がマスクの紐に引っ張られて動いてしまうのを防ぐことが可能となる。
【００３３】
また、本実施の形態では、上述したように、後頭部用布２と額部用布３との縫い付け部分に挿通部４ができるので、着用者は、図５に示すように、眼鏡のつる１６を当該挿通部４から内部に挿入して耳に掛けることができる。すなわち、眼鏡のつる１６を開口部Ａから内部に挿入して耳に掛ける必要がなくなり、開口部Ａと顔部との間に隙間が生じるのを防いで、毛髪やフケ等の落下を効果的に防止することができる。
【００３４】
なお、眼鏡のつるを内部に挿入させるためであれば、図９に示すように、フードに穴９０１をあけておくことも考えられる。しかし、この場合には、その穴９０１の縁部分でほつれが生じやすくなってしまう。また、穴９０１から毛髪やフケ等が落下しないように覆い布９０２を縫い付ける等の措置が必要になるが、覆い布９０２を縫い付けると、袋状部分９０３ができてしまう。そのため、眼鏡のつる１６を挿入させようとするときに、つる先端が穴１０１に入らず、当該袋状部分９０３に入り込んでしまうことがあり、眼鏡をスムーズに掛けることができなくなってしまう。
【００３５】
それに対して、本実施の形態のように一の布と他の布と（後頭部用布２、額部用布３）の縫い付け部分を利用して挿通部４を形成することにより、上記問題は解消され、ほつれが生じることがなく、しかも、眼鏡をスムーズに掛けることができる。特に、上述のように額部用布３の側縁３ｂと後頭部用布２の側縁２ｂとをそれぞれ三つ巻にして縫合しておくことで、ほつれによる糸片の落下は効果的に防ぐことができる。なお、図４に示すように、額部用布３の側縁を内側（着用者側）に向けて三つ巻しておくことにより、その三つ巻部分が眼鏡のつるの移動（同図（ｂ）の矢印Ｋ方向）に対して障害となることがなく、眼鏡の脱着をよりスムーズにすることができる。
【００３６】
また、本実施の形態では、中間布６を用いることにより、柔らかな肌触りや通音性を得るといった既述の効果だけでなく、フードのずれを防止して、開口部Ａと顔部との間に隙間が生じるのを防ぐといった効果を得ることもできる。
【００３７】
すなわち、例えば、中間布６部分に後頭部用布２等やケープ布８と同じ素材（ポリエステル等の化学繊維や化学繊維と綿の混紡等）を用いた場合、着用者が頭を左右に回したり、前後に動かしたりすると、その動きに追随できる頭頂部用布１、額部用布３、及び後頭部用布２と首周り調整部に依って固定状態に近くなっているケープ布８の動きがずれて、フード全体がずれてしまうことや、ひきつられているような装着不快感を感じることがある。
【００３８】
それに対して、本実施の形態のように、伸縮性を有するニット素材からなる中間布６を介在させておけば、ケープ布８の動きが中間布６において吸収されるので、額部用布３や後頭部用布２にまで伝えられず、フード全体がずれ動くのを防止することができる。したがって、開口部Ａと顔部との間に隙間が生じるのを防いで、毛髪やフケ等の落下を効果的に防止することができる。なお、本実施の形態においては、頭頂部用布１、後頭部用布２、額部用布３により形成される部分が本発明でいうキャップ部分に相当するものであり、ケープ布８が本発明でいうケープ部分に相当するものである。
【００３９】
【発明の効果】
以上述べたように本発明によれば、後頭部用布と額部用布との縫い付け部分に形成される挿通部から眼鏡のつるを内部に挿入して耳に掛けることができるので、開口部と顔部との間に隙間が生じるのを防いで、毛髪やフケ等の落下を効果的に防止することができる。しかも、フードに穴をあけることなく挿通部を形成することができるので、ほつれが生じやすくなったり、覆い布をさらに縫い付ける必要が生じたりする不都合をなくすことができる。
【図面の簡単な説明】
【図１】本実施の形態のフードを示す図である。
【図２】後頭部用布２を示す図である。
【図３】フードを示す図であり、（ａ）はフードの後頭部側を示す図で、（ｂ）は各布の縫い付け状態を表す模式図である。
【図４】フードの右側での後頭部用布２の側縁２ｂと額部用布３の側縁３ｂとの縫い付け状態を示す頭頂部用布１側から見た断面の模式図であり、（ａ）が上方での縫い付け状態を示す図で、（ｂ）が下方での縫い付け状態を示す図である。
【図５】挿通部４について説明するための図である。
【図６】中間布６を示す図である。
【図７】ケープ布８を示す図である。
【図８】マスク掛け部５０１を示す図である。
【図９】眼鏡のつる１６を内部に挿入させるためにフードに穴９０１をあけた例を示す図である。
【符号の説明】
１              頭頂部用布
２              後頭部用布
３              額部用布
４              挿通部
５              帯状布
６              中間布
７              ニットテープ
８              ケープ布
９              テープ
１０ｏ、１０ｉ  突き出し部
１１ａ、１１ｂ  繊維性接合部材
１２            帯状布
１３            円板部材
１４            帯状布
１５ａ、１５ｂ  繊維性接合部材
５０１          マスク掛け部
５０２          アジャスタ
【図１】
0003623444.tif 000002
【図２】
0003623444.tif 000003
【図３】
0003623444.tif 000004
【図４】
0003623444.tif 000005
【図５】
0003623444.tif 000006
【図６】
0003623444.tif 000007
【図７】
0003623444.tif 000008
【図８】
0003623444.tif 000009
【図９】
0003623444.tif 000010